(57)【特許請求の範囲】
【請求項１】
天面側に取出口が設けられ、かつ底面側がほぼ全面的に開口した容器本体と、該容器本体の前記天面に取り付けられて前記取出口を開閉可能であり付勢部材により開いた状態で付勢されている上蓋と、前記容器本体の底面側の開口を閉じるように配置される底蓋とを備え、前記容器本体内に積層された家庭用薄葉紙を収納する家庭用薄葉紙収納容器において、
前記上蓋は、スライド移動することにより、前記取出口を開閉させるものであり、
前記容器本体の所定の箇所を補強し、かつその上部を結ぶ線がスタックラインを形成する複数の同一の高さのスタック用リブを前記容器本体の外面に有し、
前記スタック用リブの位置は、前記容器本体に前記上蓋を取り付けたサブアセンブリ状態で前記容器本体を積み重ねたときに上となる前記容器本体の内側に、下となる前記容器本体が触れず、且つ、当該下となる前記容器本体の前記スタックラインよりも上側の部分が収納されるように定められ、
前記上蓋のスライド移動により前記上蓋が動く領域は、前記底面側の開口の範囲内であることを特徴とする家庭用薄葉紙収納容器。
【請求項２】
天面側に取出口が設けられ、かつ底面側がほぼ全面的に開口した容器本体と、該容器本体の前記天面に取り付けられて前記取出口を開閉可能であり付勢部材により開いた状態で付勢されている上蓋と、前記容器本体の底面側の開口を閉じるように配置される底蓋とを備え、前記容器本体内に積層された家庭用薄葉紙を収納する家庭用薄葉紙収納容器において、
前記上蓋は、スライド移動することにより、前記取出口を開閉させるものであり、
前記容器本体の所定の箇所を補強し、かつその上部を結ぶ線がスタックラインを形成する複数の同一の高さのスタック用リブを前記容器本体の外面に有し、
前記スタック用リブの位置は、前記容器本体に前記上蓋を取り付けたサブアセンブリ状態で前記容器本体を積み重ねたときに上となる前記容器本体の内側が、下となる前記容器本体のうち、前記上蓋以外の部分に触れないように定められ、前記上蓋のうち開いた際に最も外側になる部分には接触するように定められたことを特徴とする家庭用薄葉紙収納容器。
【請求項３】
前記スタック用リブは、
前記容器本体の平面視において角となる部分に設けたコーナーリブであることを特徴とする請求項１又は２に記載の家庭用薄葉紙収納容器。
【請求項４】
前記スタック用リブは、
前記容器本体の対向する二つの側面のそれぞれに同一の高さの水平なスタックラインを形成し、前記容器本体の外面に外側に向けて突出する水平リブであることを特徴とする請求項１又は２に記載の家庭用薄葉紙収納容器。
【請求項５】
天面側に取出口が設けられ、かつ底面側がほぼ全面的に開口した容器本体と、該容器本体の前記天面に取り付けられて前記取出口を開閉可能であり付勢部材により開いた状態で付勢されている上蓋と、前記容器本体の底面側の開口を閉じるように配置される底蓋とを備え、前記容器本体内に積層された家庭用薄葉紙を収納する家庭用薄葉紙収納容器において、
前記上蓋は、スライド移動することにより、前記取出口を開閉させるものであり、
前記容器本体の所定の箇所を補強し、かつその上部を結ぶ線がスタックラインを形成する複数の同一の高さのスタック用リブを前記容器本体の外面に有し、
前記容器本体は、前記天面に近い側が丸みを帯びた形状であり、
前記容器本体の内側であって前記取出口の周囲に複数のスタック支持リブを設け、
前記サブアセンブリ状態で前記容器本体を積み重ねたときに上となる前記容器本体の複数の前記スタック支持リブの下部が、下となる前記容器本体の天面に当接することを特徴とする家庭用薄葉紙収納容器。
【請求項６】
前記スタック支持リブは、前記容器本体の長手方向を左右とすると、前後にそれぞれ複数設けることを特徴とする請求項５に記載の家庭用薄葉紙収納容器。
【発明の詳細な説明】
【技術分野】
【０００１】
本発明は、家庭用薄葉紙を収納する家庭用薄葉紙収納容器に関する。
【背景技術】
【０００２】
家庭用薄葉紙、特にウェットティシューは湿潤性を保つために容器に保管される。その容器はウェットティシューを入れる容器本体と、底蓋とに分かれた構造を有し、容器本体の天面側には、取出口とそれを開閉する上蓋とが設けられる。生産時には中身の入っていない容器本体の輸送をするが、その際に嵩張ることを防止すべく、スタック可能な構造が望ましい。
【０００３】
特許文献１には、プッシュボタンが取り付けられたサブアセンブリ（組み立て途中）状態で容器本体を積み重ねることができる蓋付き容器が提案されている。
特許文献１に記載の蓋付き容器では、蓋が回動軸を中心に回動して開くタイプである。そして蓋を開く方向に付勢する金属バネ等の付勢手段がついている。サブアセンブリ状態で容器本体を積み重ねるためには、蓋を閉めた状態で重ねることになる。その状態では、付勢手段に負荷がかかる。
また、特許文献２には、スタッキング用リブを設けた複合容器が開示されている。
【先行技術文献】
【特許文献】
【０００４】
【特許文献１】特許第４３３８３４２号公報
【特許文献２】特開２００５−０９６８１１号公報
【発明の概要】
【発明が解決しようとする課題】
【０００５】
しかしながら、当該ウェットティシューを収納した家庭用薄葉紙収納容器がユーザの手に渡って使用が開始されるまでに無用な負荷を動力である付勢手段にかけないことが望ましい。そのためには、可動蓋を開いた状態で取り扱うこととなる。
特許文献１に記載の蓋付き容器では、付勢手段に負荷をかけない状態でスタッキングすると、可動蓋が開いた状態では嵩張るし、可動蓋が開く向きに付勢力が働くためにスタック状態で倒れやすく安定しない。
【０００６】
本発明の課題は、底蓋を装着していないサブアセンブリ状態で、蓋を開閉するための動力を劣化させることなく、可動蓋が開いた状態でも閉じた状態でも積み重ねることができる家庭用薄葉紙収納容器を提供することである。
【課題を解決するための手段】
【０００７】
前記課題を解決するために、請求項１記載の発明は、
天面側に取出口が設けられ、かつ底面側がほぼ全面的に開口した容器本体と、該容器本体の前記天面に取り付けられて前記取出口を開閉可能であり付勢部材により開いた状態で付勢されている上蓋と、前記容器本体の底面側の開口を閉じるように配置される底蓋とを備え、前記容器本体内に積層された家庭用薄葉紙を収納する家庭用薄葉紙収納容器において、
前記上蓋は、スライド移動することにより、前記取出口を開閉させるものであり、
前記容器本体の所定の箇所を補強し、かつその上部を結ぶ線がスタックラインを形成する複数の同一の高さのスタック用リブを前記容器本体の外面に有し、
前記スタック用リブの位置は、前記容器本体に前記上蓋を取り付けたサブアセンブリ状態で前記容器本体を積み重ねたときに上となる前記容器本体の内側に、下となる前記容器本体が触れず、且つ、当該下となる前記容器本体の前記スタックラインよりも上側の部分が収納されるように定められ、
前記上蓋のスライド移動により前記上蓋が動く領域は、前記底面側の開口の範囲内であることを特徴とする。
【０００８】
ここで、スタックラインは、スタックした際に、上になる容器本体の最下位の部分が、下になる容器本体の所定箇所に位置し、境目となる線である。
【０００９】
請求項２記載の発明は、
天面側に取出口が設けられ、かつ底面側がほぼ全面的に開口した容器本体と、該容器本体の前記天面に取り付けられて前記取出口を開閉可能であり付勢部材により開いた状態で付勢されている上蓋と、前記容器本体の底面側の開口を閉じるように配置される底蓋とを備え、前記容器本体内に積層された家庭用薄葉紙を収納する家庭用薄葉紙収納容器において、
前記上蓋は、スライド移動することにより、前記取出口を開閉させるものであり、
前記容器本体の所定の箇所を補強し、かつその上部を結ぶ線がスタックラインを形成する複数の同一の高さのスタック用リブを前記容器本体の外面に有し、
前記スタック用リブの位置は、前記容器本体に前記上蓋を取り付けたサブアセンブリ状態で前記容器本体を積み重ねたときに上となる前記容器本体の内側が、下となる前記容器本体のうち、前記上蓋以外の部分に触れないように定められ、前記上蓋のうち開いた際に最も外側になる部分には接触するように定められたことを特徴とする。
【００１０】
請求項３記載の発明は、請求項１又は２に記載の家庭用薄葉紙収納容器であって、前記スタック用リブは、前記容器本体の平面視において角となる部分に設けたコーナーリブであることを特徴とする。
【００１１】
請求項４記載の発明は、請求項１又は２に記載の家庭用薄葉紙収納容器であって、前記スタック用リブは、前記容器本体の対向する二つの側面のそれぞれに同一の高さの水平なスタックラインを形成し、前記容器本体の外面に外側に向けて突出する水平リブであることを特徴とする。
【００１２】
請求項５記載の発明は、
天面側に取出口が設けられ、かつ底面側がほぼ全面的に開口した容器本体と、該容器本体の前記天面に取り付けられて前記取出口を開閉可能であり付勢部材により開いた状態で付勢されている上蓋と、前記容器本体の底面側の開口を閉じるように配置される底蓋とを備え、前記容器本体内に積層された家庭用薄葉紙を収納する家庭用薄葉紙収納容器において、
前記上蓋は、スライド移動することにより、前記取出口を開閉させるものであり、
前記容器本体の所定の箇所を補強し、かつその上部を結ぶ線がスタックラインを形成する複数の同一の高さのスタック用リブを前記容器本体の外面に有し、
前記容器本体は、前記天面に近い側が丸みを帯びた形状であり、
前記容器本体の内側であって前記取出口の周囲に複数のスタック支持リブを設け、
前記サブアセンブリ状態で前記容器本体を積み重ねたときに上となる前記容器本体の複数の前記スタック支持リブの下部が、下となる前記容器本体の天面に当接することを特徴とする。
【００１３】
請求項６記載の発明は、請求項５に記載の家庭用薄葉紙収納容器であって、前記スタック支持リブは、前記容器本体の長手方向を左右とすると、前後にそれぞれ複数設けることを特徴とする。
【発明の効果】
【００１４】
請求項１記載の発明によれば、開く向きに付勢されており、スライド移動する上蓋を有するので、蓋の開く付勢力の方向がスタックの積み重ね方向に対して垂直な向きであるので、サブアセンブリ状態において安定したスタックができる。また、上蓋のスライド開閉により上蓋が動く領域は、底面側の開口の範囲内であるから、上蓋が開いた状態でも閉じた状態でも積み重ねることができる。したがって、蓋を開閉するための付勢手段を劣化させることなく積み重ねることができる。
請求項２記載の発明によれば、開く向きに付勢されており、スライド移動する上蓋を有するので、蓋の開く付勢力の方向がスタックの積み重ね方向に対して垂直な向きであるので、サブアセンブリ状態において安定したスタックができる。また、上蓋のうち開いた際に最も外側になる部分が、積み重ねたときに上となる容器本体の内側に接触するので、スタックした際に、揺れることなく安定した状態に保持することができる。
請求項３記載の発明によれば、容器本体の平面視において角となる部分に設けたコーナーリブにより、スタックの際に上となる容器本体を支えるので、安定したスタックができる。
請求項４記載の発明によれば、容器本体の長手方向の二つの側面のそれぞれに同一の高さの水平なスタックラインであって、下方が突出する水平リブを前記容器本体の外側に有するので、スタックした際に、上になる容器の長手方向の側面の底辺が下になる容器の水平リブの上部に当接し、揺れることなく安定した状態に保持することができる。
請求項５記載の発明によれば、開く向きに付勢されており、スライド移動する上蓋を有するので、蓋の開く付勢力の方向がスタックの積み重ね方向に対して垂直な向きであるので、サブアセンブリ状態において安定したスタックができる。また、スタック支持リブを容器本体の内側（裏側）に設けたので、容器本体が丸みを帯びた形状であっても、スタックの際のゆれを防止することができる。
請求項６記載の発明によれば、スタック支持リブを前後にそれぞれ複数設けるので、より安定性をもたらす。
【図面の簡単な説明】
【００１５】
【図１】容器本体の天面に設けた上蓋の閉じている状態（ａ）、開いている状態（ｂ）を示す斜視図である（実施形態１）。
【図２】上蓋の開いている状態で複数の容器本体をスタックした様子を長手方向の中心線を含む鉛直面で切って示す断面図である（実施形態１）。
【図３】側面の水平リブをスタックラインとするなで肩形状の家庭用薄葉紙収納容器をサブアセンブリ状態で二個重ねた様子を容器本体の短手方向の中心線を含む鉛直面で切った断面図（ａ）及び上から見た平面図（ｂ）である（実施形態３）。
【図４】側面の水平リブをスタックラインとするなで肩形状の家庭用薄葉紙収納容器を複数スタックした様子を示す斜視図である（実施形態３）。
【図５】四隅のコーナーリブを有するなで肩形状の家庭用薄葉紙収納容器を二個重ねた様子を容器本体の長手方向の鉛直面で切った断面図（ａ）及び上から見た平面図（ｂ）である（実施形態４）。
【図６】四隅のコーナーリブを有するなで肩形状の家庭用薄葉紙収納容器を複数スタックした様子を示す斜視図である（実施形態４）。
【図７】側面の水平リブを長手方向との側面に有するいかり肩形状の家庭用薄葉紙収納容器を複数スタックした様子を示す斜視図である（実施形態５）
【発明を実施するための形態】
【００１６】
以下、図面を参照しつつ、本発明の実施形態である家庭用薄葉紙収納容器について詳細に説明する。ただし、発明の範囲は、図示例に限定されない。
【００１７】
≪実施形態１≫
＜家庭用薄葉紙収納容器の構成＞
まず、本実施形態の家庭用薄葉紙収納容器の構成について説明する。
なお、以下の説明では、家庭用薄葉紙収納容器の平面視長手方向を左右方向、平面視短手方向を前後方向、高さ方向を上下方向とする。
【００１８】
本実施形態に係る家庭用薄葉紙収納容器１は、例えば、図１（ａ）に示すように、上蓋２０を閉じた状態で前後方向の側面視にて上側の角が丸みを帯びた略長方形状に形成されており、内部にウェットシートやウェットティシュー等のウェットタイプの家庭用薄葉紙Ｐを収納可能に構成されている。なお、家庭用薄葉紙収納容器１には、ティシューペーパーやキッチンペーパーやペーパータオル等のドライタイプの家庭用薄葉紙Ｐを収納しても良い。
具体的には、家庭用薄葉紙収納容器１は、例えば、図１（ａ），（ｂ）、図２、図３、図５などに示すように、上面に家庭用薄葉紙Ｐを取り出すための取出口１１を有するとともに下面に家庭用薄葉紙Ｐが積層された薄葉紙積層体Ｑを詰め替えるための底面開口１２を有し、内側の収納空間部Ｓに薄葉紙積層体Ｑを収納する容器本体１０と、容器本体１０の上面にスライド移動自在に設けられ、取出口１１を開閉させる蓋体としての上蓋２０と、上蓋２０を容器本体１０に取り付けるためのシャーシ３０と、容器本体１０の底面開口１２を塞ぐ底蓋４０と、上蓋２０を開放状態となる方向に付勢する付勢部材５０と、等を備えて構成される。
【００１９】
ここで、容器本体１０及びシャーシ３０が、上面に取出口１１を有し、内側に家庭用薄葉紙Ｐを収納するケース体として機能する。すなわち、ケース体は、容器本体１０と、当該容器本体１０の上面に固定されるシャーシ３０と、を備えており、上蓋２０は、ケース体のうちシャーシ３０に取り付けられている。
また、容器本体１０、上蓋２０、シャーシ３０及び底蓋４０は、例えば、ＰＰ（ポリプロピレン）、ＰＥ（ポリエチレン）、ＰＥＴ（ポリエチレンテレフタレート）、ＡＢＳ（Acrylonitrile Butadiene Styrene）等の熱可塑性樹脂から形成されている。
また、本実施形態においては、付勢部材５０として、引張コイルばねを用いることとする。
【００２０】
また、薄葉紙積層体Ｑは、例えば、複数枚の家庭用薄葉紙Ｐが積層された詰替え用の薄葉紙積層体であって、ケース体（本実施形態の場合、容器本体１０）に形成された取出口１１から家庭用薄葉紙Ｐを継続して取り出せるように交互に折り重ねられた状態で積層されている。すなわち、家庭用薄葉紙Ｐを取出口１１からケース体の外側へ引き出したときに、次の家庭用薄葉紙Ｐの上端が取出口１１よりも突出する位置まで収納空間部Ｓから引き出されるようになっている。
なお、薄葉紙積層体Ｑを、包装体によって内包することとしても良い。特に、家庭用薄葉紙収納容器１に収納する家庭用薄葉紙Ｐが、本実施形態のようにウェットタイプの家庭用薄葉紙Ｐである場合には、薄葉紙積層体Ｑを防湿性の包装体によって内包することが好ましい。
【００２１】
容器本体１０は、例えば、図１（ａ），（ｂ）に示すように、当該容器本体１０の上面を構成する上面部１０ａと、当該容器本体１０の前後左右の周面を構成する周面部１０ｂと、からなり、容器本体１０の下面は平面視にて角のとれた略長方形状を呈する底面開口１２となっている。そして、この底面開口１２を塞ぐように取り付けられた底蓋４０と、容器本体１０の上面部１０ａ及び周面部１０ｂと、によって囲まれた空間が、薄葉紙積層体Ｑを収納するための収納空間部Ｓとなる。
なお、本実施形態では、下面が開口した容器本体１０を用い、薄葉紙積層体Ｑを容器本体１０の下面側から詰め替えるように構成したが、これに限ることはなく、例えば、下面は閉口して前後左右の何れかの面が開口した容器本体１０を用い、薄葉紙積層体Ｑを容器本体１０の前後左右の何れかの面側から詰め替えるように構成することも可能である。
【００２２】
図１に描かれた容器本体１０には、底蓋４０に近い四隅の部分にコーナーリブ３７を設けてある。コーナーリブ３７は容器本体１０を成型する際に設けられるリブである。容器本体１０は、底面側がほぼ全面的に略長方形の形状に開口している。その底面の四隅に設けられたコーナーリブ３７は底面から同一の高さにおいてほぼ直立しており、その上部にわずかの水平部分の広がりを有している。コーナーリブ３７が設けられたその部分は、成型品としてみるとその部分が肉厚となっている部分であり、容器本体１０の剛性、強度を大きくし、変形を防ぐ役目をするリブとして機能している。また、外形をも構成する部分であるので、美観の上で好ましい形状を有するものとして設計される。
コーナーリブ３７は、後述するスタックに用いられる。スタックについては、後述する。
【００２３】
容器本体１０の上面部１０ａには、例えば、図２、図５（ａ）に示すように、下側に向けて陥没する凹部１３が設けられており、この凹部１３の底面部１３ａに取出口１１が形成されている。なお、本実施形態では、底面部１３ａのうち左右方向（容器本体１０の平面視長手方向）中央よりも一側（本実施形態の場合、右側）にずれた位置に取出口１１を形成したが、これに限ることはなく、例えば、底面部１３ａの左右方向略中央に取出口１１を形成することも可能である。
取出口１１は、容器本体１０の内部の収納空間部Ｓに収納された家庭用薄葉紙Ｐを取り出すための、平面視にて角のとれた略長方形状に形成された開口である。
取出口１１は、上蓋２０が開放状態（図１（ｂ）、図２、図３（ｂ）参照）となった場合に開放され、このとき家庭用薄葉紙Ｐは、取出口１１を通じて一枚毎に収納空間部Ｓから外部に引き出すことができるようになっている。
また、取出口１１は、上蓋２０が閉塞状態（図１（ａ）、図４、図５参照）となった場合に閉塞されるようになっている。
【００２４】
例えば、図１、図２、図３、図５に示すように、取出口１１の周縁には、シリコンゴム等のゴムやオレフィン系エラストマー等の熱可塑性エラストマーなどの弾性体から形成されたケース側パッキン１４が装着されている。
また、上蓋２０の下面にも、シリコンゴム等のゴムやオレフィン系エラストマー等の熱可塑性エラストマーなどの弾性体から形成された蓋側パッキン２１が取り付けられている。
蓋側パッキン２１は、上蓋２０の下面のうち上蓋２０の閉塞状態においてケース側パッキン１４に対応する位置に設けられており、ケース側パッキン１４と蓋側パッキン２１とは、上蓋２０が閉塞状態となった場合に互いに密着して（図５（ａ）参照）、収納空間部Ｓ内の気密性を保持するように構成されている。すなわち、ケース側パッキン１４及び蓋側パッキン２１が、取出口１１の周縁と上蓋２０との隙間を封止する気密手段として機能する。
これにより、家庭用薄葉紙収納容器１に収納する家庭用薄葉紙Ｐが、本実施形態のようにウェットタイプの家庭用薄葉紙Ｐである場合には、家庭用薄葉紙Ｐに含浸した薬液の蒸発を防止できるようになっている。
【００２５】
また、ケース側パッキン１４には、例えば、図６に示すように、当該ケース側パッキン１４の下端部から内側に向けて（取出口１１を塞ぐ方向側に向けて）延出する複数の舌片部１４ａが設けられており、舌片部１４ａ同士の隙間から家庭用薄葉紙Ｐが引き出されるように構成されている。これにより、家庭用薄葉紙Ｐを一枚ずつ引き出しやすくなっている。
なお、本実施形態では、容器本体１０にケース側パッキン１４を設けて上蓋２０に蓋側パッキン２１を設けた、すなわち、容器本体１０と上蓋２０との双方に気密手段を設けたが、これに限ることはなく、気密手段によって取出口１１の周縁と上蓋２０との隙間を封止できるのであれば、例えば、容器本体１０だけに気密手段を設けても良いし、上蓋２０だけに気密手段を設けても良い。また、シャーシ３０に取出口１１が設けられている場合には、シャーシ３０に気密手段を設けても良い。
【００２６】
シャーシ３０は、容器本体１０の凹部１３内に収容された状態で容器本体１０の上面部１０ａに固定されており、上蓋２０は、シャーシ３０を介して容器本体１０に取り付けられている。
シャーシ３０は、例えば、図７に示すように、凹部１３の底面部１３ａ上に載置され、取出口１１を取り囲む枠部３１と、閉塞状態の上蓋２０と略面一となるよう枠部３１に支持される上壁部３２と、を備えて構成される。
ここで、本実施形態では、上蓋２０と上壁部３２とを合わせると、平面視にて略楕円形状の板状部材を構成するようになっている。また、上蓋２０及び上壁部３２は、前後方向（短手方向）に下方へ凸となるよう湾曲した形状をなしている。
【００２７】
シャーシ３０の枠部３１（具体的には、枠部３１の連結部３１ｃ（図３（ｂ）参照））の上面には、例えば、図３（ｂ）に示すように、付勢部材５０の一端と係合する固定側係合部３３が設けられている。
また、上蓋２０の下面のうち前後方向略中央の位置には、例えば、図３（ｂ）、図５（ｂ）に示すように、付勢部材５０の他端と係合する可動側係合部２２が設けられている。
ここで、例えば、図２、図３（ｂ）、図５（ｂ）に示すように、本実施形態において、家庭用薄葉紙収納容器１は、付勢部材５０である引張コイルばねを２本備えている。また、シャーシ３０の枠部３１は、固定側係合部３３を２つ備えている。この２つの固定側係合部３３は、上蓋２０とシャーシ３０とが組み合わされた状態で所定の直線（具体的には、左右方向（長手方向）に平行で可動側係合部２２を通る直線）に対して互いに線対称となる位置に配置され、かつ、上蓋２０の閉塞状態における可動側係合部２２との間隔が、上蓋２０の開放状態における可動側係合部２２との間隔よりも長くなるように、枠部３１に設けられている。そして、２本の付勢部材５０のうち一方の一端が、２つの固定側係合部３３のうちの一方に掛止されるとともに、２本の付勢部材５０のうち他方の一端が、２つの固定側係合部３３のうちの他方に掛止され、２本の付勢部材５０の双方の他端が、上蓋２０に設けられた可動側係合部２２に掛止されている。
【００２８】
上蓋２０が右側（すなわち、上壁部３２側）へとスライド移動して開放状態から閉塞状態に移行すると、付勢部材５０の一端に係合する固定側係合部３３と、付勢部材５０の他端に係合する可動側係合部２２と、の間隔が長くなるので、付勢部材５０は左側（すなわち、上壁部３２とは反対側）に付勢された状態になる。すなわち、付勢部材５０は、上蓋２０の閉塞状態において、当該上蓋２０を開放状態となる方向に付勢している。そして、付勢部材５０の付勢力に抗する力が解除されると、付勢部材５０の付勢力によって上蓋２０が左側（すなわち、上壁部３２とは反対側）に引っ張られて、取出口１１が開放される。
ここで、付勢部材５０は、伸縮部材により構成され、シャーシ３０の固定側係合部３３が、ケース体（本実施形態の場合、シャーシ３０）に設けられ付勢部材５０の一端と係合する固定点として機能し、上蓋２０の可動側係合部２２が、上蓋２０に設けられ付勢部材５０の他端と係合する可動点として機能する。
そして、付勢部材５０、シャーシ３０の固定側係合部３３及び上蓋２０の可動側係合部２２が、上蓋２０を開放状態となる方向にスライド移動させる可動機構として機能する。
なお、本実施形態では、固定側係合部３３（固定点）をシャーシ３０に設けたが、これに限ることはなく、固定側係合部３３（固定点）は、容器本体１０に設けても良い。
【００２９】
また、本実施形態では、付勢部材５０、シャーシ３０の固定側係合部３３及び上蓋２０の可動側係合部２２は、上蓋２０が、開放状態である場合も、閉塞状態である場合も、開放状態から閉塞状態に移行する途中の状態である場合も、閉塞状態から開放状態に移行する途中の状態である場合も、凹部１３内に配置された状態で上蓋２０に上方から覆われているので、家庭用薄葉紙収納容器１の外部から視認することができない。
すなわち、上蓋２０は、当該上蓋２０の状態にかかわらず、外部から視認不能に付勢部材５０、シャーシ３０の固定側係合部３３及び上蓋２０の可動側係合部２２を遮蔽している。これにより、家庭用薄葉紙収納容器１の美観が向上するとともに、付勢部材５０、シャーシ３０の固定側係合部３３及び上蓋２０の可動側係合部２２が触られることを防止できるようになっている。
【００３０】
さらに、本実施形態では、凹部１３の底面部１３ａが、容器本体１０の内側（収納空間部Ｓ側）から視認不能に付勢部材５０、シャーシ３０の固定側係合部３３及び上蓋２０の可動側係合部２２を遮蔽しているので、付勢部材５０、シャーシ３０の固定側係合部３３及び上蓋２０の可動側係合部２２が、容器本体１０の内側から触られることも防止できるようになっている。
【００３１】
例えば、図２、図５（ａ）に示すように、上蓋２０の右端部（すなわち、上壁部３２側の端部）には、下側に向けて突出する爪部２３が設けられている。
また、シャーシ３０には、上壁部３２の一部を操作面３４ａとしたスイッチ部３４が設けられている。スイッチ部３４は、前後方向に沿って延設された軸部３４ｂを回動軸として回動可能に構成されており、左端側（すなわち、上蓋２０側）に爪部２３が上方から進入して係合する爪受部３４ｃを有している。また、スイッチ部３４は、図示しない付勢手段によって、押圧されて回動する方向とは逆方向に付勢されている。
【００３２】
上蓋２０が開放状態である際に、付勢部材５０の付勢力に抗する力を作用させて上蓋２０を右側（すなわち、上壁部３２側）へとスライド移動させると、まず、上蓋２０の爪部２３がスイッチ部３４の爪受部３４ｃに当接する。さらに上蓋２０を右側へとスライド移動させると、爪受部３４ｃが爪部２３に押されてスイッチ部３４の付勢手段の付勢力に抗する力が作用し、爪受部３４ｃが下側へと移動するようにスイッチ部３４が回動する。そして、上蓋２０が閉塞状態になってスイッチ部３４の付勢手段の付勢力に抗する力が解除されると、スイッチ部３４の付勢手段の付勢力によって爪受部３４ｃがもとの位置に戻るよう（すなわち、操作面３４ａが上壁部３２の表面と略面一の状態となるよう）にスイッチ部３４が回動して、爪部２３と爪受部３４ｃとが係合する。これにより、上蓋２０の閉塞状態を維持できるようになっている。
【００３３】
また、爪部２３と爪受部３４ｃとが係合している際に、スイッチ部３４の操作面３４ａが押圧されてスイッチ部３４の付勢手段の付勢力に抗する力が作用すると、爪受部３４ｃが下側へと移動するようにスイッチ部３４が回動する。そして、スイッチ部３４の回動に伴い爪部２３と爪受部３４ｃとの係合が解除されると、付勢部材５０の付勢力によって上蓋２０が左側（すなわち、上壁部３２とは反対側）へとスライド移動して開放状態になる。
すなわち、爪部２３及び爪受部３４ｃが、付勢部材５０の付勢力に抗して上蓋２０が閉塞状態となるように係止するとともに、当該係止を解除可能な係止手段として機能する。
なお、本実施形態では、係止手段による係止を解除する際に押圧されるスイッチ部３４をシャーシ３０に設けたが、これに限ることはなく、スイッチ部３４は、容器本体１０に設けても良い。
【００３４】
本実施形態においては、シャーシ３０の枠部３１の一部が、上蓋２０を直線的にスライド移動するようガイドするレール部３１ａになっている。具体的には、例えば、図３（ｂ）に示すように、シャーシ３０の枠部３１は、左右方向に沿って延設され、前後方向に並ぶレール部３１ａ，３１ａと、レール部３１ａ，３１ａの右端部（すなわち、上蓋２０の閉塞状態となる方向側の端部）同士を連結するとともに上壁部３２を支持する支持部３１ｂと、レール部３１ａ，３１ａの左端部（すなわち、上蓋２０の開放状態となる方向側の端部）同士を連結する連結部３１ｃと、からなる。
また、例えば、図８に示すように、上蓋２０には、レール部３１ａに対してスライド移動可能に係合するスライド部２４が設けられている。スライド部２４は、例えば、上蓋２０とシャーシ３０とが組み合わされた状態で、当該スライド部２４の下面が、対応するレール部３１ａの上面に当接するように、上蓋２０の下面から垂下する垂壁部（図示省略）の下端に接続されている。
これにより、上蓋２０をスムーズかつ確実に開閉できるようになっている。
なお、本実施形態では、上蓋２０のスライド移動をガイドするためのレール部３１ａをシャーシ３０に設けたが、これに限ることはなく、レール部３１ａは、容器本体１０に設けても良い。
【００３５】
ここで、例えば、図３（ｂ）に示すように、スライド部２４の左端部（すなわち、上蓋２０の開放状態となる方向側の端部）には、上蓋２０が開放状態となる際の衝撃を吸収するダンパー２４ａが設けられている。
また、例えば、図３（ｂ）に示すように、容器本体１０の凹部１３の周縁のうち、上蓋２０の閉塞状態においてスライド部２４の左端側（ダンパー２４ａを含む）に対応する位置には、上蓋２０が閉塞状態から開放状態へと移行する際にスライド部２４が入り込む横穴部１５が形成されており、上蓋２０の開放状態において、横穴部１５内でスライド部２４のダンパー２４ａが容器本体１０に当接するように構成されている。すなわち、スライド部２４が容器本体１０に衝突することによって、付勢部材５０の付勢力による上蓋２０のスライド移動が停止するように構成されており、当該衝突の際の衝撃を、ダンパー２４ａによって吸収できるようになっている。
なお、本実施形態では、撓むことで衝撃を吸収できるようにダンパー２４ａを左方へ凸となるよう内側から外側に向けて湾曲した弓状に形成したが、これに限ることはなく、ダンパー２４ａの形状は、上蓋２０が開放状態となる際の衝撃を吸収できるのであれば、適宜任意に変更可能である。
【００３６】
例えば、図２、図５に示すように、上蓋２０には、上蓋２０を閉める際等に指を掛けるための可動側指掛部２５が設けられている。具体的には、上蓋２０には、可動側指掛部２５として、当該上蓋２０の右端部（すなわち、上蓋２０の閉塞状態となる方向側の端部）を上側に向けて起立させることによって形成された突起部が設けられている。また、上蓋２０には、可動側指掛部２５に掛けた指を載置するための指載置部２６として、当該上蓋２０の上面を下側に向けて窪ませることによって形成された凹部が設けられている。
また、ケース体（本実施形態の場合、シャーシ３０）のうち係止手段（本実施形態の場合、爪受部３４ｃ）よりも右側（すなわち、上蓋２０の閉塞状態となる方向側）には、上蓋２０を閉める際等に指を掛けるための固定側指掛部３５が設けられている。具体的には、シャーシ３０には、固定側指掛部３５として、シャーシ３０の端部（本実施形態の場合、上壁部３２の右端部）を上側に向けて起立させることにより形成された突起部が設けられている。
【００３７】
すなわち、可動側指掛部２５の左側（すなわち、固定側指掛部３５とは反対側）に指を掛けて上蓋２０を閉める際に、固定側指掛部３５の右側（すなわち、可動側指掛部２５とは反対側）に指を掛けて容器本体１０に左方向の力（上蓋２０に作用させる力とは逆方向の力）を作用させて容器本体１０が滑らないように容器本体１０を固定しておくことができるように構成されている。これにより、片手で上蓋２０を閉めることができるようになっている。
また、本実施形態の場合、固定側指掛部３５は、スイッチ部３４に離間してケース体（本実施形態の場合、シャーシ３０）に設けられている。これにより、固定側指掛部３５に掛けた指でスイッチ部３４を誤操作してしまうことを防止できるようになっている。
なお、本実施形態では、固定側指掛部３５をシャーシ３０に設けたが、これに限ることはなく、固定側指掛部３５は、容器本体１０に設けても良い。
【００３８】
例えば、図２、図５に示すように、上蓋２０の下面には、先端が左側（すなわち、上蓋２０の開放状態となる方向側）を向くよう前後方向の側面視略逆Ｌ字状に突出する突片部２７が設けられている。
また、例えば、図６に示すように、容器本体１０の凹部１３の周縁のうち、上蓋２０の閉塞状態において突片部２７の先端側（ダンパー２７ａ（後述）を含む）に対応する位置には、上蓋２０が閉塞状態から開放状態へと移行する際に突片部２７が入り込む横穴部１６が形成されており、上蓋２０が開放状態になると、上蓋２０の突片部２７の先端側が容器本体１０の横穴部１６に入り込んで、突片部２７の上下方向の移動が規制されるように構成されている。これにより、上蓋２０の開放状態において、上蓋２０の左端側が上方向へと移動して上蓋２０が起き上がってしまうことを防止できるようになっている。
【００３９】
ここで、例えば、図４、図５に示すように、突片部２７の先端部には、上蓋２０が開放状態となる際の衝撃を吸収するダンパー２７ａが設けられており、上蓋２０の開放状態において、横穴部１６内で突片部２７のダンパー２７ａが容器本体１０に当接するように構成されている。すなわち、突片部２７が容器本体１０に衝突することによっても、付勢部材５０の付勢力による上蓋２０のスライド移動が停止するように構成されており、当該衝突の際の衝撃を、ダンパー２７ａによって吸収できるようになっている。
【００４０】
なお、本実施形態では、撓むことで衝撃を吸収できるようにダンパー２７ａを左方へ凸となるよう上側から下側に向けて湾曲した弓状に形成したが、これに限ることはなく、ダンパー２７ａの形状は、上蓋２０が開放状態となる際の衝撃を吸収できるのであれば、適宜任意に変更可能である。
また、本実施形態では、突片部２７にダンパー２７ａを設けてスライド部２４にダンパー２４ａを設けた、すなわち、突片部２７とスライド部２４との双方にダンパーを設けたが、これに限ることはなく、ダンパーによって上蓋２０が開放状態となる際の衝撃を吸収すること（衝撃を緩めること）ができるのであれば、例えば、突片部２７だけにダンパーを設けても良いし、スライド部２４だけにダンパーを設けても良いし、突片部２７及びスライド部２４以外の部分にダンパーを設けても良い。また、ダンパーは、上蓋２０側ではなく、ケース体（容器本体１０やシャーシ３０）側に設けても良いし、上蓋２０側とケース体側との双方に設けても良い。突片部２７にダンパーを設けない場合は、上蓋２０の開放状態において、突片部２７が横穴部１６内で容器本体１０に当接しないように構成することが好ましい。また、スライド部２４にダンパーを設けない場合は、上蓋２０の開放状態において、スライド部２４が横穴部１５内で容器本体１０に当接しないように構成することが好ましい。
【００４１】
なお、本実施形態では、スライド部２４の左端側が入り込む横穴部１５の上方が上面部１０ａによって塞がれるように構成したが、これに限ることはなく、横穴部１５は上方に開口していてもよい。
また、突片部２７は、上蓋２０が起き上がってしまうことを防止するために設けられているが、本実施形態のように、スライド部２４の左端側が入り込む横穴部１５の上方が上面部１０ａによって塞がれている場合には、スライド部２４によって、上蓋２０が起き上がってしまうことを防止することができる。具体的には、この場合には、上蓋２０が開放状態になると、上蓋２０のスライド部２４の左端側が容器本体１０の横穴部１５に入り込んで、スライド部２４の上下方向の移動が規制され、上蓋２０が起き上がってしまうことを防止することができるので、突片部２７を設けなくてもよい。
【００４２】
＜家庭用薄葉紙収納容器の製造方法＞
次に、本実施形態の家庭用薄葉紙収納容器の製造方法の一例について、図５を参照して説明する。
まず、シャーシ３０に、付勢部材５０と上蓋２０とを組み付けてアセンブリ体Ａを形成する。
次いで、アセンブリ体Ａを容器本体１０に取り付ける。具体的には、シャーシ３０の下面に設けられた複数（本実施形態の場合、５個）の嵌合凸部（図示略）と、容器本体１０の凹部１３の底面部１３ａに嵌合凸部に対応させて設けられた嵌合孔部（図示略）と、が嵌合するよう、アセンブリ体Ａを、容器本体１０の凹部１３内に当該凹部１３の上方から嵌め込むことによって、容器本体１０に取り付ける。すなわち、付勢部材５０と上蓋２０とは、シャーシ３０に組み付けられて一体に構成されたアセンブリ体Ａの状態で、容器本体１０に取り付けられている。これにより、上蓋２０と付勢部材５０とシャーシ３０とを別々に容器本体１０に取り付ける手間を省くことができるようになっている。
なお、本実施形態では、シャーシ３０に設けられた嵌合凸部と、容器本体１０に設けられた嵌合孔部と、を嵌合させることによって、アセンブリ体Ａを容器本体１０に固定するよう構成したが、これに限ることはなく、例えば、ねじ等によってアセンブリ体Ａを容器本体１０に固定しても良い。
【００４３】
≪サブアセンブリ状態について≫
アセンブリ体Ａを容器本体１０に組み付けた状態をサブアセンブリ状態と呼ぶこととする。すなわち、サブアセンブリ状態は、中身のウェットティシューを収納する前の状態であって、底蓋４０を取り付けていない状態である。
図１に図示する家庭用薄葉紙収納容器にあっては、既に底蓋４０を取り付けてある状態であるので、完成状態である。図１に図示する状態から底蓋４０を取り外し、中身のウェットティシューを取り除くと、サブアセンブリ状態と同じ状態になる。
【００４４】
≪サブアセンブリ状態におけるスタックについて≫
容器本体１０がサブアセンブリ状態にある場合について説明する。図１（ａ）に示すような上蓋２０が閉じている状態では、付勢部材に負荷がかかった状態であり、長い間その状態で保持すると、動力の劣化が進むことが懸念される。したがって、図１（ｂ）に示すような上蓋２０が開いている状態でサブアセンブリ状態での保管、輸送などの取り扱いをすることが望ましい。
【００４５】
サブアセンブリ状態での保管及び輸送には、なるべく嵩張らないのが望ましい。そこで、容器本体１０の成型に当たっては、スタック（積み重ね）可能な形状を考える。しかも、重ねた状態での揺れや荷崩れがないように、余分な固着具を用いることなく、それ自体で安定したスタックの状態を維持できるような形状、構造を設計することが望ましい。上蓋２０を含む天面に組み付けた部品が、保管時又は輸送時に損なわれないよう保護するためである。
また、余分な固着具を用いるのでは、部品点数が増えてしまうし、それを用いる際の手間、外す際の手間をかけることになり工数も増えることになる。  
【００４６】
一方、プラスチックの射出成型にあっては、リブと呼ばれる突起状の補強部分が容器の縁や側壁などに設けられ、剛性や強度を大きく、そりやねじれなどの変形を防ぐ役目をする。そこで、本願発明にあっては、射出成型におけるリブをスタックの際に支える部材として設けることとする。なお、リブは、成型品の裏面（内側）のユーザにとっては見えない箇所に設けられることが多いが、本願発明にあっては成型品の表面（外側）の外観を構成する部分に設ける突起部分もリブと呼ぶこととする。
【００４７】
前述したように、図１に描かれた容器本体１０には、底蓋４０に近い四隅の部分にコーナーリブ３７を設けてある。コーナーリブ３７は容器本体１０を成型する際に設けられるリブである。容器本体１０の底面の四隅に設けられたコーナーリブ３７は底面から同一の高さにおいてほぼ直立しており、その上部にわずかの水平部分の広がりを有している。コーナーリブ３７が設けられたその部分は、成型品としてみるとその部分が肉厚となっている。容器本体１０の剛性、強度を大きくし、変形を防ぐ役目をするリブとして機能する。
【００４８】
さらにこのコーナーリブ３７は、容器本体１０をサブアセンブリ状態でスタックする際に、上になる容器本体１０の底の部分が、下になる容器本体１０のコーナーリブ３７の水平部分に当接することにより、スタック状態での安定を図る部分となる。このことは、４つのコーナーリブ３７の上部を結ぶ線がスタックラインを形成する、と表現することもできる。ここでは、コーナーリブ３７は、四隅に同一の高さの水平部分を有するものとして設けて、それらを結ぶ線自体は、成型品には現れないようにしているが、文字通りそれらを結ぶ線を成型品の外形にも現して、線状に延びる出っ張り部分とする変形実施例も可能である。その場合には、スタックラインは、線状に延びる出っ張り部分として容器本体１０の外観として現れる。
【００４９】
図２は、サブアセンブリ状態において、上蓋２０の開いている状態で複数（図では５個）の容器本体１０をスタックした（積み重ねた）様子を示す断面図である。容器本体の長手方向に延びる中心線を含む鉛直面で切った断面を示している。図２に示すスタックでは、上蓋２０は、開ききった状態にある。上蓋２０の裏側（図では下側）にコイルばねが描かれているのが見える。このコイルばねは引っ張りバネであって、その引っ張りバネが伸びずに自然の長さにある状態が描かれているものである。ここでは、コイルばねが上述した付勢手段（動力）であり、開いた状態では負荷のかからない状態にある。したがって、サブアセンブリ状態で保管し、運搬する際に、動力の劣化が進まないことが期待できる。
【００５０】
上蓋２０が開閉により移動する領域は、容器本体の底面側の開口の範囲内である。したがって、上蓋２０が完全に開いている状態で図２に示すスタックが可能である。また、図２に示すように、上となる容器本体１０の底面がコーナーリブ３７に当接している状態で、上蓋２０は容器本体１０の内側の壁にぶつからないように、上蓋の開閉領域が設計され、また、コーナーリブ３７の位置、高さが設計されている。
また、容器本体１０の天面は、取出口１１を含む部分を設けるための空間を有しており、上蓋２０は、当該空間に設けられ、上蓋２０のスライド開閉により上蓋が動く領域は、容器本体の外形を構成する領域の内側に含まれるのが望ましい。これにより、サブアセンブリ状態での容器本体１０の天面に組み付けた部品は、保管、輸送の間、保護される。ここで容器本体の外形を構成する領域とは、容器本体１０の最外周である。また、容器本体の外形を包絡する面で囲まれた領域ということもできる。
【００５１】
なお、取出口１１の下側には、前述したように舌状体が設けられて、ウェットティシューのポップアップを調整する役目を果たす。図２に示す例では、この舌状体は取出口１１のプッシュボタンに近い側と遠い側とでは向きを異ならせて設けている。すなわち、プッシュボタンに近い側は、水平に設けているのに対し、遠い側では舌状体の先が下に降りるように延びている。ウェットティシューのポップアップした部分がプッシュボタンからは遠い側になびくように工夫したものである。これにより、ウェットティシューを噛み込むことを防止している。上蓋２０が閉じる際に、ウェットティシューを噛み込むと、当該ウェットティシューを使えなくなる場合があるのみならず、密閉性が悪くなり、内部のウェットティシューに浸透している薬液の揮発が生じる可能性があるからである。
【００５２】
≪上蓋のスライド開閉機構について≫
本願発明の実施形態１−４では、取出口１１、上蓋２０を含む容器本体１０の天面における構成は、同様のものを用いて説明している。ここで、図３（ｂ）の上蓋が開いている状態を示す平面図と、図５（ｂ）の上蓋が閉じている状態を示す平面図とを参照しつつ、上蓋２０の開閉を実現する構成について板状のアセンブリシャーシを用いた例を挙げて説明する。
付勢部材５０、パッキン１４、２１を除く部品（容器本体１０、上蓋２０、スイッチ部３４、シャーシ３０など）は、合成樹脂の成型品として作製することができる。
容器本体１０は、ここでは天面に長手方向に延びる長円状の凹部１３を有しており、その凹部１３に上蓋２０のスライド開閉機構、開いた状態に付勢する付勢部材５０、閉じた状態に固定する爪受部３４ｃ、爪受部３４ｃの固定を解除するためのスイッチ部３４などを収容する。
取出口１１及びそれを取り囲むように設けられたパッキン１４は、上述した実施形態における本体容器１０に設けることもできるが、別の部材として板状の部材（ここで、アセンブリシャーシと呼ぶ）に設けて、例えば容器本体１０の裏側（内側）から嵌めこまれることとしてもよい。嵌め込むための形状としては貫通しない凹み部分とそれに嵌合する突起とをもって嵌合させ、一度嵌め込めば、外すのが困難であるように成型品の設計をすることができる。貫通しない凹み部分とするのは、容器の密閉性（気密性）を確保するためである。
【００５３】
上蓋２０をスライド開閉させる機構について、固定部分と可動部分とに分けて説明する。
固定部分及び可動部分は、アセンブリシャーシに取り付ける。実際の工場の作業にあっては、容器本体１０に取り付ける前のアセンブリシャーシに固定部分及び可動部分を取り付けてから、上蓋２０が閉じた状態にして、アセンブリシャーシを容器本体１０の裏側（内側）から容器本体１０の長円状の孔に固定部分及び可動部分が嵌るようにし、かつ容器本体１０の裏側の凹み部分（リブ）にアセンブリシャーシ側の突起が嵌合するように嵌めこむことができる。その後、容器本体１０の天面側からスイッチ部３４を押すことにより、爪受部３４ｃの引っかかりを解除し、上蓋２０を開いた状態にする。この状態が上述したサブアセンブリ状態である。
【００５４】
アセンブリシャーシに取り付ける固定部分は、スイッチ部３４、固定側指掛部３５、レール部３１ａ，３１ａを含む部分である。これらは、それぞれを成型品として製造したのちに、アセンブリシャーシに嵌め込むことにより組み上げることができる。また、これらのうちの一部（例えば、固定側指掛部３５、レール部３１ａ，３１ａ）をアセンブリシャーシと一体成型する変形例も可能である。スイッチ部３４については、ユーザにより動かして上蓋２０の閉まっている状態を解除するものであるので、動く部分を含むので、アセンブリシャーシとの一体成型にはなじまない。
スイッチ部３４の動く部分については、別の部品として作製して、後から嵌め込む。
【００５５】
固定側指掛部３５は、動かない部分であり、アセンブリシャーシに取り付ける固定部分（上蓋２０が閉じている状態において、上蓋２０の延長された面となる部分）と一体的に成型され得る。固定側指掛部３５を容器本体１０との一体成型又はアセンブリシャーシとの一体成型することも可能である。
不側指掛部３５は、上蓋２０が開いている状態から、閉じようとするときに、ユーザの手指のうちの例えば人差し指が掛かる部分である。そのときユーザの手指のうちの例えば親指が可動側指掛部２５に掛かる。そして、親指と人差し指とを使って、上蓋２０を閉じる。
【００５６】
レール部３１ａ，３１ａは、取出口１１の前後両側にそれぞれ一つずつ設けられる。レール部３１ａ，３１ａは、固定部分に設けられて、動かない部分である。レール部３１ａ，３１ａは、スライド部２４を滑らせる。レール部３１ａを例えば、溝として構成し、スライド部２４をその溝内を滑る突起状の部材として構成することができる。また、レール部３１ａを金属棒として構成し、スライド部２４を当該金属棒の周りに設けた円筒状（又は円筒から一部を欠いた形状として金属棒を嵌め込むことを可能とした形状）の部材として滑らすように構成してもよい。
【００５７】
可動部分は、上蓋２０とその裏側に設けられ、上蓋２０が閉じた状態で取出口１１の周囲のケース側パッキン１４と合わさって密閉度を高める蓋側パッキン２１と、レール部３１ａ，３１ａを摺動するスライド部２４、２４とを有する（図３（ｂ）、図５（ｂ）では、上蓋２０の裏側に設けられた部材は破線で描いてある）。また、付勢手段を取り付ける可動側係合部２２が設けられている（図３（ｂ）に描いた蓋側パッキン２１の左側で前後における中央部分）。
組み立て工程にあっては、アセンブリシャーシに上述した固定部分を取り付けてから、コイルばね（付勢部材）５０、５０を固定部分の図３（ｂ）の左端の上下２箇所に設けた固定側係合部３３、３３に取り付ける。付勢部材５０，５０（二つのバネ）の他端は、可動側係合部２２に取り付けられる。当該取り付けを行ってからスライド部２４，２４をレール部３１ａ，３１ａに摺動可能に取り付ける（またはスライド部２４、２４をレール部３１ａ、３１ａに摺動可能に取り付けてから付勢部材５０、５０を取り付ける）。
【００５８】
付勢部材５０は、ここでは金属を材料とするつるまきバネを使うことができる。ゴム、エラストマーなどの弾性部材を引っ張りバネ、又は板バネのようにして用いて、必要な動力伝達機構とともに用いて、コイルばねの代わりに用いてもよい。
付勢部材５０は、上蓋２０が開く方向に付勢される。つまり、上蓋２０が開いている状態では、付勢部材５０は自然長に近い状態すなわち負荷のかからない状態にある。それに対して上蓋２０が閉じている状態では、付勢部材５０は伸びており負荷の掛かる状態にある。上述したように、上蓋２０が開いている状態から閉じるには、ユーザが手指を用いて付勢部材５０に抗して上蓋２０をスイッチ部３４に近づける。上蓋２０のスイッチ部３４に近い側には、爪受部３４ｃに引っかかる部材である爪部２３があり、爪受部３４ｃに引っかかることにより上蓋２０が閉じた状態で固定される。スイッチ部３４をユーザが押すと、爪受部３４ｃにおける引っ掛かりが解除されて、上蓋２０は、付勢部材５０により引っ張られて開く。
【００５９】
次に、本願発明の実施形態２−５について述べる。これらの実施形態は、いずれも本願発明の主眼である「サブアセンブリ状態におけるスタック」というテーマに沿ったものである。上蓋２０、取出口１１などの構成については、実施形態１と同じ構成であってよいので、実施形態１と同一の部材については同一の符号を用いて説明する。しかし、上蓋２０、取出口１１を含む容器本体１０の天面の構成は、上蓋２０がスライド開閉のものであって、開閉の際に動く領域が容器本体１０の底面側の開口の範囲内であり、スタックした際に開いている状態の上蓋２０が、上となる容器本体１０の内側にぶつからないような（あるいは接触する程度の）ものであれば他の構成であってもよい。したがって、容器本体１０の天面についての構成は、そのような条件を充足するような変形例を許容する。このことは、実施形態１−５のすべてに共通する。
以下に述べる実施形態２−４は、主にスタックを実現するための構成（水平リブ、コーナーリブ、スタック支持リブ、いかり肩形状、なで肩形状）に関するものである。
【００６０】
≪実施形態２≫
≪スタックの際に、容器本体の内側が上蓋のうち開いた際に最も外側になる部分に接触する≫
実施形態１では、上蓋２０が開閉の際に動く領域が容器本体１０の底面側の開口の範囲内であり、容器本体１０の内側にぶつからないとした。
確かに、付勢手段の動力劣化軽減のためには、ぶつからないことが望ましいが、上蓋２０が多少接触する程度のものであっても、動力劣化上の問題はあまり問題とならないものと考えられる。付勢手段としてコイルばねを用いる場合であれば、取付の遊びもあるし、板バネ式の付勢手段であっても、自然長からわずかの変化の領域にあっては劣化の問題はあまりない。
【００６１】
むしろ、上蓋２０が多少接触することにより、スタック時の揺れを防止して、スタックの際の安定をもたらす効果がある。そこで、実施形態２では、スタック用リブの位置は、容器本体１０に上蓋２０を取り付けたサブアセンブリ状態で容器本体１０を積み重ねたときに上となる容器本体１０の内側が、下となる容器本体１０のうち、上蓋２０以外の部分に触れないように定められ、上蓋２０のうち開いた際に最も外側になる部分には接触するように定められたことを特徴とする家庭用薄葉紙収納容器を提案する。
【００６２】
製造段階においては、スタックする際にやや斜めに重ねるようにして、正常な位置にまで押し込むように重ねると、上蓋２０のうち開いた際に最も外側になる部分が上となる容器本体１０の内側に接触するようにスタックがなされる。このとき上蓋２０が容器本体１０の内側と接触することにより、スタック時の長手方向の揺れを防止する役割を果たす。
このことは、スタックリブをコーナーリブとする場合であっても、水平リブとする場合（後述する実施形態３）であっても同様にいえることである。
【００６３】
≪実施形態３≫
≪水平リブを設けて線状に延びるスタックラインとした家庭用薄葉紙収納容器≫
本発明の実施形態３である「水平リブを設けて線状に延びるスタックラインとした家庭用薄葉紙収納容器」について図３及び図４を参照しつつ説明する。
図３は、水平リブ３６（線状に延びるスタックライン）を設けた家庭用薄葉紙収納容器を二個重ねた様子を容器本体の短手方向の中心線（取出口１１の中心線）を含む鉛直面で切った断面図（ａ）及び上から見た平面図（ｂ）である。図４は、線上に延びるスタックラインを設けた家庭用薄葉紙収納容器を複数スタックした様子を示す斜視図である。図３及び図４では、上蓋２０は開いている状態である。
【００６４】
図４に示す斜視図に描かれているように、実施例１の容器本体１０は、実施形態と同様に、天面側の形状がドーム形状（丸みを帯びた形状：なで肩形状）を有している。しかし、短手方向の中心線で切った断面図（図３（ａ））を見てわかるように、短手方向については、角張った形状、すなわちいかり肩形状をしている。このことを前提として、水平リブ３６が有効となる。
水平リブ３６は、容器本体１０の長手方向の側面であって、高さにおいては中央からやや下の部分に水平に設けたリブである。その水平の線をスタックラインとして、当該水平の線よりも下の部分を外側に向かって突出させた形状としている。しかし、下の部分を上よりも肉厚にしているものではなく、図３（ａ）に示すように、階段状の成型部分を構成している。肉厚とせずに、階段状にすることで強度、剛性を上げることを目的とするリブである。これも射出成型上のリブといえる。
【００６５】
図３（ｂ）の平面図に描かれているように、水平リブ３６は、長手方向の中央部分において最も広い段部を有しており、スタックの際に上となる容器本体１０の最下部を確実に支えることができるようになっている。また、上述したように容器本体１０が短手方向についてはいかり肩形状であるので、スタックしたときに、上となる容器本体１０の内壁面と、下となる容器本体１０の外壁面との間の空間が狭いので、短手方向に揺れる余地が小さい。したがって、短手方向の安定性が高い。このことは上となる容器本体１０の内壁面と、下となる容器本体１０の外壁面との間の面状の接触が所定の広がりをもってなされているともいえる。
【００６６】
また、長手方向については、水平リブ３６が長手方向いっぱいの長さに延びることで上となる容器本体１０の最下部を水平リブ３６が長手方向全体にわたって支える。このことにより長手方向の安定性も高い。このように実施形態のコーナーリブに代えて水平リブ３６を設けることで、スタックを支持する構成を提供することが可能である。
ここで、水平リブを肉厚はすべて同じで階段状に成型したものとしたが、肉厚をも厚くすることで補強効果を高めることとする変形例も可能である。
また、ここでは前後方向の二つの側面に水平リブ３６を設けることとしたが、左右方向の二つの側面に水平リブを設けることとしてもよい。
図４には、５個の容器本体１０を、上蓋２０が閉じている状態でスタックしている状態を描いたが、実施形態と同様に上蓋２０が開いている状態でもスタック可能である。
また、コーナーリブに代えて、水平リブとすることとしたが、コーナーリブに加えて水平リブをも設けることとする実施例も可能である。  
【００６７】
図３（ｂ）には、上蓋２０の裏側について破線をもって描いている。閉じた長円状に描いたのは、上蓋２０の裏側に設けたパッキンである。このパッキンは上蓋２０が閉じた際に取出口１１の周囲に設けられたパッキンと嵌合するものである。上蓋２０の裏側に設けたパッキンの両端には上蓋２０をスライドするためのレールが描かれている。また、図３（ｂ）で上蓋２０の裏側に設けたパッキンの左側にはコイルばね２個が両側からそれぞれ上蓋２０につながっている様子が描かれている。図３（ｂ）は上蓋２０が開いている状態であるのでコイルばねは緩んでいる状態（自然長に近い状態）である。このコイルばねは上蓋２０が開く向きに付勢する付勢手段である。
図３（ｂ）では、上蓋２０は開いている状態であるので取出口１１が見えている。取出口１１に設けられた３個の舌片部１４ａのうちプッシュボタンに遠い側の舌片部１４ａ（ポップアップするウェットティシューを調整するためにやや下向きに延びるもの）が図３（ａ）に描かれている。
【００６８】
≪実施形態４≫
≪コーナーリブに加えてスタック支持リブを設けた家庭用薄葉紙収納容器≫
次に、実施形態４である、コーナーリブに加えてスタック支持リブを設けた家庭用薄葉紙収納容器について図５及び図６を参照しつつ説明する。
図５は、コーナーリブ３７に加えてスタック支持リブ３８を設けた家庭用薄葉紙収納容器を二個重ねた様子を容器本体の長手方向の鉛直面で切った断面図（図５（ａ））、上から見た平面図（図５（ｂ））及び側面図（図５（ｃ））である。図６は、短手方向にはいかり肩形状であるが、長手方向にはなで肩形状をした家庭用薄葉紙収納容器を複数（図６では５個）スタックした様子を示す斜視図である。
コーナーリブ３７は、実施形態において述べたものと同じものとする。スタック支持リブ３８は、容器本体１０の内側（裏側）であって、取出口１１の周囲に複数設ける。サブアセンブリ状態で容器本体を積み重ねたときに上となる容器本体の複数のスタック支持リブ３８の下部が、下となる容器本体の天面に当接して、スタック時の長手方向のゆれを防止するものである。
【００６９】
図５（ａ）の断面図に、スタック支持リブ３８を設ける位置を示した。実施例２の容器本体１０は、図５（ｃ）の側面図に示すように短手方向については、いかり肩形状である。そして、長手方向については、図５（ａ）に示すようになで肩形状を有している。したがって、短手方向の揺れについては安定するが、長手方向についての揺れについて弱い。そこで、４つのコーナーリブ３７を補うべく、容器本体１０の内側で取出口１１の周囲にスタック支持リブを設けて補強する。スタック支持リブ３８は、取出口の前後で同数ずつ同じ高さで対称の位置に設けるのが望ましい。
【００７０】
図６には、スタック支持リブ３８を描くのを省略したが、既に述べたように容器本体１０の内側の取出口１１周辺にスタック時に下となる容器本体１０の天面に当接する位置にスタック支持リブ３８が設けられており、４つのコーナーリブ３７と、複数のスタック支持リブ３８とが協働してスタック状態を支える機能を果たす。
【００７１】
≪実施形態５≫
≪スタックの際に長手方向、短手方向、ともに面状の広がりで接触する家庭用薄葉紙収納容器：いかり肩≫
実施形態１〜４で述べた家庭用薄葉紙収納容器は、容器本体１０の天面側が丸みを帯びたもの、すなわち「なで肩形状」であった。厳密に言えば、実施形態１〜２で述べた家庭用薄葉紙収納容器は長手方向の断面で切った形状は「なで肩形状」であって(図２、図５（ａ）)、短手方向の断面で切った形状は「いかり肩形状」である（図３（ａ）、図５（ｃ））。短手方向の断面形状が「いかり肩形状」であるから、容器本体長手方向の側面に着目すると、スタックの際に上となる容器本体の長手方向の側面の裏側（内側）と、下となる容器本体の長手方向の側面の表側（外側）とが所定の広がりの面状の接触をするので、安定性が高い。したがって、実施形態３−４では、短手方向の揺れを考慮する必要はなかった。コーナーリブ３７や、スタック支持リブ３８の機能は、長手方向の揺れを防止するものであった。
【００７２】
実施形態５として、長手方向、短手方向いずれも「いかり肩形状」のものを提案する。
図７は、側面の水平リブを長手方向との側面に有するいかり肩形状の家庭用薄葉紙収納容器を複数スタックした様子を示す斜視図である。水平リブ３６は実施形態３（図３，４）に示すものと同じである。容器本体１０の形状が長手方向、短手方向ともにいかり肩形状であることから、長手方向、短手方向ともにスタックの際に一定の面状の広がりで接触できるのでいずれの方向にも揺れにつよいスタック構造をもたらす。
【００７３】
すなわち、あたかも銭湯の風呂桶を逆さにして積み重ねるがごとくに、面積的な広がりを十分に大きくもって接触する。したがって、安定性が高いので、コーナーリブを設けずに、長手方向の水平リブのみでスタック時の安定性を確保できる。あるいは水平リブを設けずに、コーナーリブのみでもよい。
この場合、スタックを深くしすぎると、スタックした本体容器１０同士が外れにくくなる虞がある。そのような事態が生じないように水平リブ又はコーナーリブの形状を例えば、波打たせる形状にするなど、スタックを外しやすい形状を考慮するのが望ましい。
【００７４】
なお、本願発明の家庭用薄葉紙収納容器の場合は、上蓋２０が開いた状態でスタックする場合には、取出口１１を介して上下に空気が自由に移動可能なので、スタックした際に上となる容器本体の内側と、下となる容器本体の外側との間にできる空間の密閉度が高くなることがない。したがって、当該空間の密閉を原因として、スタック後の当該容器本体がはずれなくなってしまうということ（銭湯の風呂桶を重ねたときにはずれなくなってしまう状態）は生じない。
【００７５】
以上説明した家庭用薄葉紙収納容器１には、上面に取出口１１を有し、内側に家庭用薄葉紙Ｐを収納するケース体（容器本体１０及びシャーシ３０）と、ケース体に対してスライド移動することで取出口１１を開閉させる蓋体としての上蓋２０と、上蓋２０を開放状態となる方向に付勢する付勢部材５０を有し、当該上蓋２０を開放状態となる方向にスライド移動させる可動機構（付勢部材５０、固定側係合部３３及び可動側係合部２２）と、付勢部材５０の付勢力に抗して上蓋２０が閉塞状態となるように係止するとともに、当該係止を解除可能な係止手段（爪部２３及び爪受部３４ｃ）と、を備えている。
すなわち、係止手段（爪部２３及び爪受部３４ｃ）による係止を解除すると、付勢部材５０の付勢力によって、取出口１１を閉塞していた上蓋２０がスライド移動して開放状態となり、取出口１１が開放されることとなる。
したがって、係止手段（爪部２３及び爪受部３４ｃ）による係止を解除するだけで付勢部材５０の付勢力によって自動的に上蓋２０が開くので、上蓋２０の開放動作が行いやすく、利便性が高い。
【００７６】
具体的には、付勢部材５０は、伸縮部材により構成され、可動機構は、ケース体（本実施形態の場合、シャーシ３０）に設けられ付勢部材５０の一端と係合する固定点としての固定側係合部３３と、上蓋２０に設けられ付勢部材５０の他端と係合する可動点としての可動側係合部２２と、を備えている。
なお、家庭用薄葉紙収納容器１に備える付勢部材５０の個数（本数）は、２つ（２本）に限ることはなく、適宜任意に変更可能であり、１つ（１本）であっても良いし、３つ（３本）以上あってもよい。また、固定側係合部３３や可動側係合部２２の個数は、付勢部材５０の個数に応じて、適宜任意に変更可能である。
また、本実施形態では、上蓋２０が、ケース体の外側でスライド移動するように構成したが、これに限ることはなく、上蓋２０が、ケース体の内側でスライド移動して、上蓋２０の開放状態において上蓋２０の大部分（例えば、可動側指掛部２５を除く部分）がケース体内に収まるように構成することも可能である。
【００７７】
また、以上説明した家庭用薄葉紙収納容器１によれば、上蓋２０は、当該上蓋２０の状態にかかわらず、外部から視認不能に付勢部材５０を遮蔽している。
したがって、家庭用薄葉紙収納容器１の美観が向上する。
また、付勢部材５０が触られることを防止することができるので、付勢部材５０に汚れが付きにくく、付勢部材５０に指等が挟まる心配もなく、衛生的に安全に使用することができるとともに、付勢部材５０が、取り外されてしまったり、取り外されて誤飲されてしまったりすることを防止することができる。
【００７８】
また、以上説明した家庭用薄葉紙収納容器１によれば、上蓋２０が開放状態となる際の衝撃を吸収するダンパー２４ａ，２７ａを備えている。
すなわち、上蓋２０は付勢部材５０の付勢力によって自動的に開くが、その際の衝撃がダンパー２４ａ，２７ａによって吸収されるので、上蓋２０が開放状態となる際の衝撃に伴う上蓋２０やケース体（本実施形態の場合、主に容器本体１０）の磨耗を抑制したり、上蓋２０が開放状態となる際に生じる衝突音を軽減したりすることができる。
【００７９】
また、以上説明した家庭用薄葉紙収納容器１によれば、ケース体（本実施形態の場合、シャーシ３０）には、上蓋２０のスライド移動をガイドするためのレール部３１ａが設けられ、上蓋２０には、レール部３１ａに対してスライド移動可能に係合するスライド部２４が設けられている。
すなわち、上蓋２０はスライド移動することによって取出口１１を開閉させるが、そのスライド移動がレール部３１ａによってガイドされるので、上蓋２０をスムーズかつ確実に開閉することができる。
【００８０】
また、以上説明した家庭用薄葉紙収納容器１によれば、上面に取出口１１を有し、内側に家庭用薄葉紙Ｐを収納するケース体（容器本体１０及びシャーシ３０）と、ケース体に対してスライド移動することで取出口１１を開閉させる蓋体としての上蓋２０と、上蓋２０が閉塞状態となるように係止するとともに、当該係止を解除可能な係止手段（爪部２３及び爪受部３４ｃ）と、を備え、上蓋２０には、可動側指掛部２５が設けられ、ケース体（本実施形態の場合、シャーシ３０）のうち係止手段（本実施形態の場合、爪受部３４ｃ）よりも上蓋２０の閉塞状態となる方向側には、固定側指掛部３５が設けられている。
すなわち、可動側指掛部２５に指を掛けて上蓋２０に閉塞状態となる方向（本実施形態の場合、右方向）の力を加えることができるだけでなく、上蓋２０を閉める際に、閉塞状態となる方向の力が上蓋２０だけでなくケース体（容器本体１０及びシャーシ３０）に加わってしまっても、固定側指掛部３５に指を掛けてケース体に逆方向の力を作用させてケース体を固定しておくことができるので、ケース体が滑ってしまうことがない。
したがって、片手で上蓋２０を閉めることができ、上蓋２０の閉塞動作が行いやすい。
【００８１】
特に、上蓋２０を開放状態となる方向に付勢する付勢部材５０を備えているので、上蓋２０を閉める際に、上蓋２０の閉塞状態となる方向の力として、付勢部材５０の付勢力に抗する力を上蓋２０に加えることとなる。その際に、付勢部材５０の付勢力によって、付勢部材５０の付勢力に抗する力と同じ方向の力がケース体に加わるので、ケース体は上蓋２０の閉塞状態となる方向側に滑りやすいが、固定側指掛部３５を設けることで、ケース体が滑らないように、固定側指掛部３５に指を掛けてケース体を固定しておくことができる。
なお、家庭用薄葉紙収納容器１に上蓋２０を開放状態となる方向に付勢する付勢部材５０を設けたが、これに限ることはなく、家庭用薄葉紙収納容器１に付勢部材５０を設けなくてもよい。家庭用薄葉紙収納容器１に付勢部材５０を設けない場合には、可動側指掛部２５と固定側指掛部３５との双方に指を掛けて上蓋２０を開閉することができる。したがって、片手で上蓋２０を開閉することができ、上蓋２０の開閉動作が行いやすい。
【００８２】
また、以上説明した家庭用薄葉紙収納容器１によれば、ケース体（本実施形態の場合、シャーシ３０）は、係止手段（爪部２３及び爪受部３４ｃ）による係止を解除する際に押圧されるスイッチ部３４を備え、固定側指掛部３５は、スイッチ部３４に離間してケース体（本実施形態の場合、シャーシ３０）に設けられた突起部である。
具体的には、本実施形態において、ケース体は、容器本体１０と、当該容器本体１０の上面に固定されるシャーシ３０と、を備え、上蓋２０は、シャーシ３０に取り付けられ、固定側指掛部３５は、シャーシ３０の端部（本実施形態の場合、上壁部３２の右端部）を上側に向けて起立させることにより形成された突起部である。
したがって、固定側指掛部３５がスイッチ部３４に離間して設けられているので、固定側指掛部３５に掛けた指でスイッチ部３４を誤操作してしまうことを防止することができ、上蓋２０を片手で確実に閉めることができる。
なお、スイッチ部３４を回動可能に構成したが、これに限ることはなく、スイッチ部３４を押圧することで係止手段（爪部２３及び爪受部３４ｃ）による係止を解除できるのであれば、スイッチ部３４の構成は適宜任意に変更可能であり、例えば、スイッチ部３４は上下方向に揺動可能に構成しても良い。
また、スイッチ部３４や固定側指掛部３５を設ける箇所は、スイッチ部３４や固定側指掛部３５が容器本体１０の平面（上面）視外形からはみ出さないのであれば、適宜任意に変更可能である。
【００８３】
また、以上説明した家庭用薄葉紙収納容器１によれば、上面に取出口１１を有し、内側に家庭用薄葉紙Ｐを収納するケース体と、ケース体に対してスライド移動することで取出口１１を開閉させる蓋体としての上蓋２０と、上蓋２０を開放状態となる方向に付勢する付勢部材５０と、を備え、ケース体は、容器本体１０と、当該容器本体１０の上面に固定されるシャーシ３０と、を備え、付勢部材５０と上蓋２０とは、シャーシ３０に組み付けられて一体に構成されたアセンブリ体Ａの状態で、容器本体１０に取り付けられている。
具体的には、本実施形態において、容器本体１０は、上面に凹部１３を有し、取出口１１は当該凹部１３に設けられ、アセンブリ体Ａは、凹部１３内に当該凹部１３の上方から嵌め込まれている。
また、以上説明した家庭用薄葉紙収納容器１の製造方法によれば、シャーシ３０に、付勢部材５０と上蓋２０とを組み付けてアセンブリ体Ａを形成し、次いで、アセンブリ体Ａを容器本体１０に取り付けるようになっている。
したがって、上蓋２０と付勢部材５０とを別々に容器本体１０に取り付ける必要がないので、組み立てやすい。
【００８４】
なお、本発明は、上記実施形態１〜５に限定されるものではなく、具体的な構造について適宜変更可能であるのは勿論である。
【符号の説明】
【００８５】
１  薄葉紙収納容器
１０  容器本体
１０ａ  上面部
１０ｂ  周面部
１１  取出口
１２  底面開口
１３  凹部
１３ａ  底面部
１４  ケース側パッキン
１４ａ  舌片部
１５  横穴部
２０  上蓋
２１  蓋側パッキン
２２  可動側係合部
２３  爪部
２４  スライド部
２５  可動側指掛部
２６  指載置部
２７  突片部
３０  シャーシ
３１  枠部
３１ａ  レール部
３１ｂ  支持部
３１ｃ  連結部
３２  上壁部
３３  固定側係合部
３４  スイッチ部
３４ａ  操作面
３４ｂ  軸部
３４ｃ  爪受部
３５  固定側指掛部
３６  水平リブ
３７  コーナーリブ（リブ）
３８  スタック支持リブ
４０  底蓋
５０  付勢部材
Ｐ  家庭用薄葉紙
Ｑ  薄葉紙積層体
Ｓ  収納空間部
【図１】
0006032920.tif 000002
【図２】
0006032920.tif 000003
【図３】
0006032920.tif 000004
【図４】
0006032920.tif 000005
【図５】
0006032920.tif 000006
【図６】
0006032920.tif 000007
【図７】
0006032920.tif 000008